(57)【要約】      （修正有）【課題】駒の形状や図柄で年少者や初心者の興味を惹きつけるとともに、本将棋の名称や動かし方を分かり易く表示した、親しみやすく、本将棋にスムーズに移行できる将棋セットを提供する。【解決手段】上部略３分の１が動物の顔で、その下部に胴体部を有する将棋の駒の表面の胴体部に、その駒の機能を表す漢字の名称と、進め方を表すマークと、駒の愛称を表示し、成り駒面の胴体部にはその成り駒の漢字の名称と進め方を表すマークと成り駒の愛称を表示し、前記駒を用いる盤面は、７マス×７マスの太枠線を表示した将棋盤である。【選択図】図１
2019037520.tif 000002
【特許請求の範囲】
【請求項１】
上部略３分の１が動物の顔で、その下部に胴体部を有する将棋の駒の表面の胴体部に、その駒の機能を表す漢字の名称と、その周囲に進め方を表すマークと、最下部に駒の愛称を表示し、成り駒面の胴体部にはその成り駒の漢字の名称とその周囲に進め方を表すマークと、最下部に成り駒の愛称を表示したことを特徴とする将棋の駒を有する将棋セット。
【請求項２】
略多角形の駒に動物の顔とその下の胴体部の輪郭線を含めて表示した請求項１記載の将棋の駒を有する将棋セット。
【請求項３】
。
動物の顔が猫、犬、兎などのうち１種類の動物で統一して構成した請求項１または請求項２に記載の将棋の駒を有する将棋セット。  
【請求項４】
７マス×７マスの枠内に桂と歩各４個を外した駒を本将棋に準じて並べて、本将棋と同じルールでゲームができるように、９マス×９マスの盤面に７マス×７マスの太枠線を表示した将棋盤を含む請求項１から３までのいずれか一項に記載の将棋セット。
【発明の詳細な説明】
【技術分野】
【０００１】
本発明は、年少者や初心者などにも親しみやすい将棋セットの改良に関する。
【背景技術】
【０００２】
将棋の駒は漢字の名称が表示してあるだけで、種類も多く、その動かし方も多様であるため、年少者や初心者にとっては取りつきにくく、わかりにくい上に対局時間が長くかかる難点があった。
【０００３】
そのため、動物将棋などが市販されているが、駒の進め方が違ったり、本将棋の機能を表す漢字の名称もなくなっているため、本将棋への移行がすぐにはできなかった。
【０００４】
また、駒の名称と動かし方のマークだけを記載した特許文献１や特許文献２などが開示されているが、年少者の興味を惹きつける点では不十分であった。
【０００５】
特許文献３では５マス×８マスのミニ将棋が開示されているが、駒数が少なく本将棋とかけ離れすぎていてゲームとしても面白くない。年少者や初心者に興味を持たせると同時に理解しやすく、本将棋にスムーズに移行させるには問題があった。
【先行技術文献】
【特許文献】
【０００６】
【特許文献１】実開平５−９１７６５号  公報
【特許文献２】実登第３０７０９５３号  公報
【特許文献３】実開平７−４３５９３号  公報
【発明の概要】
【発明が解決しようとする課題】
【０００７】
以上に述べたように、年少者や初心者向けの従来の将棋の駒は、興味を惹きつけるために本来の名称を動物に置き換えるか、名称と動かし方のマークだけを記載したものであるため、年少者や初心者に興味を持たせると同時に理解しやすく、ゲームとして面白く、本将棋にスムーズに移行させるには至らなかった。
【０００８】
本発明は、駒の形状や図柄で年少者や初心者の興味を惹きつけるとともに、本将棋の名称や動かし方を分かり易く表示した、親しみやすく、本将棋にスムーズに移行できる将棋セットを提供することを目的とする。
【０００９】
また、本将棋の９マス×９マスでは対局の時間が長すぎるため、初歩段階でできるだけ本将棋の機能を損なわないで対局時間を短縮する方法を提供することも目的とする。
【課題を解決するための手段】
【００１０】
本発明は上記目的を達成するために、上部略３分の１が動物の顔で、その下部に胴体部を有する将棋の駒の表面の胴体部に、その駒の機能を表す漢字の名称とその周囲に進め方を表すマークと、最下部にその駒の愛称を表示するとともに、王、玉と金を除く駒の裏面（成り駒面）の胴体部にはその成り駒の漢字の名称とその周囲に進め方を表すマークと、最下部に成り駒の愛称を表示する。
愛称は例えば「かくにゃん」のように、機能を表す漢字（角）の読みと顔で表した動物（猫）を連想させる言葉を組み合わせたものである。
【００１１】
また、多角形の駒に動物の顔とその下の胴体部を輪郭線を含めて、上記と同様に表示すればより安価な駒を提供できる。
【００１２】
駒の上部の動物の顔は年少者に好まれる人間や架空のキャラクターを含むあらゆる動物が含まれるが、「おうワン」、「かくニャン」、「きんピョン」、」などと愛称をつけやすい犬、猫、兎などが好ましい。
【００１３】
対局時間を短くするために９マス×９マスの将棋盤に７マス×７マスの太枠線を表示して、桂と歩各４個ずつを外した新規な「７（セブン）将棋」を開示する。
【発明の効果】
【００１４】
本発明の将棋セットを使用すれば、年少者や初心者が将棋に興味を持ち、喜んでおじいちゃんやお父さんなどから教えてもらい、家族などで楽しく遊べるようになるのである。
また、本将棋の機能を表す漢字、及びその呼び名を愛称に含めているため、本将棋の駒を使用するようになっても抵抗なく移行できるのである。
【００１５】
将棋を習い始める初期の段階では、対局時間が短く、取りつきやすい「７将棋」から始めれば、こまの進め方が本将棋と同じであるため、ある程度マスターしたら、桂の進め方を覚えるだけでスムーズに本将棋に移行できる。
また、集中力や発想力などを養う知育ゲームとしても優れている。
「７将棋」は短時間でプレーしたいときには、本将棋を知っている人でも十分楽しめ、新しいゲームとなり得る。
【図面の簡単な説明】
【００１６】
【図１】本発明の実施例１の駒の平面図
【図２】本発明の実施例２の駒の平面図
【図３】本発明の実施例１の別の駒の平面図
【図４】本発明の実施例３の駒の平面図
【図５】本発明の「７将棋」盤の平面図
【発明を実施するための形態】
【００１７】
図１に本発明の実施の形態における駒の一例の平面図を示す。
駒（１）の形状は上部略３分の１が動物の顔（２）でその下に胴体部（３）を有する。
【００１８】
図２には上部の顔（２）とその下の胴体部（３）の輪郭線を含めて、略多角形の駒（１）に表示した本発明の実施の形態におけるもう一つの駒の一例の平面図を示す。
【００１９】
駒全体の大きさは一般的な将棋盤のマス目の大きさ（約３２ｍｍ×３６ｍｍ）以下で、「王」から「歩」まで１〜６段階で少しずつ小さくすることができる。
厚さは３〜１５ｍｍで、平板または傾斜をつけた板でもよい。
素材はプラスチックや木材系材料が好ましい。
駒面への表示方法はインクジェットやシルクスクリーンなどの印刷や、捺印、焼き印、レーザー加工などが選択できる。また、印刷したプラスチックフィルムや紙のシールを貼ってもよい。
【００２０】
動物の顔（２）は１種類または数種類で、目、鼻、口などでそのキャラクターの特徴を表し、駒（１）の種類ごとに変えてもよいし、彩色してもよい。
【００２１】
駒（１）の機能を表す漢字（４）は本将棋の２文字でもよいが、1字でも通用するので1字の方がスペース上好ましい。なお、銀、桂、香の成り駒面は本将棋では金の崩し字であるが、表面が判別し易いように、銀、桂、香の逆さ文字としたり、愛称も「ケイニャン」、「ニャンギン」、「ニャリキョウ」などとしてもよい。
駒の進め方のマーク（５）はこれまでマス目と、矢印や黒丸の組み合わせなどが提案されていて、特に限定しないが、本発明の実施の形態では1マス進むのを四角マーク、2マス以上進むのを長三角マークとして、表面のマークを黒、成り駒面のマークを赤で塗りつぶして、より分かり易くした。なお、桂馬の場合は図３で示す様に×印を付加している。
愛称（６）は表面をひらがな、成り駒面をカタカナで表し、区別し易くしたが、特に限定するものではなく、アルファベット文字なども用いてよい。
【００２２】
駒（１）の製造方法はプラスチックの射出成型や木材からの糸鋸による切取りや切削加工やレーザー加工など特に限定しない。
【００２３】
図５は本発明の一例の将棋の駒（１）を使用した新考案の「７（セブン）将棋」盤の平面図である。
９マス×９マスの盤面に７×７マスの太枠線（７）を表示し、桂馬と歩各４個を省いて、駒の進め方は本将棋と同じにすれば、初心者に分かり易く、勝負時間も短くなり飽きないでプレーできる。
「7将棋」をある程度マスターすれば桂馬の進め方を教えて、本将棋にスムーズに移行できる。
【実施例１】
【００２４】
図１は本発明の実施例１の将棋の駒（１）の平面図である。
９ｍｍ厚のヒノキの平板にレーザー加工で印字し、外郭を切断している。
顔部（２）はすべての駒を猫に統一し、駒の種類ごとに目などの表情を変え、色彩も変えて識別しやすくしている。胴体部（３）の駒の機能を表す漢字（４）は一字とし、マス形で囲い、外周に駒の進める方向に四角印または長三角印を配置し、表面は黒、成り駒面は赤で塗りつぶしている。
駒の愛称（６）は表面にひらがなで、おうにゃん、ぎょくにゃん、ひしゃにゃん、かくにゃん、きんにゃん、ぎんにゃん、けいにゃん、きょうにゃん、ふうにゃんと記載し、成り駒側にカタカナで、リュウニャン、ウマニャン、ギンニャン。ケイニャン、キョウニャン、トキンニャンと記載している。
【００２５】
印字のレーザー加工は切断加工の規定の焦点距離を２０％ずらして行った。加工時間は３０Ｗの出力の１８％で約１０分であった。
外郭の切断のレーザー加工は３０Wの出力の６０％で片面１３分、両面で２６分であった。
【実施例２】
【００２６】
図２は本発明の実施例２の将棋の駒（１）の平面図である。
駒（１）は５角形の市販の将棋用駒材で、形状は歩用の幅２１ｍｍ、高さ２６ｍｍから王将用の幅２８ｃｍ、高さ３１ｃｍのまで６段階の大きさがある。
この駒材に実施例１の猫の図柄を外郭線を含めてレーザー加工で印字したものである。
これにアクリル絵の具で表面と成り駒面の色を違えて彩色を行って仕上げた。
【実施例３】
【００２７】
図４は実施例３の将棋の駒（１）の平面図である。
この駒は厚さ１２ｍｍの直方体の駒に兎の顔で、愛称をふうぴょんなどとし、そのほかは実施例２と同様にしたものである。
【産業上の利用可能性】
【００２８】
本発明の駒を使用した将棋セットは年少者や初心者が興味を持って、おじいちゃんやお父さんから将棋を習い始める、家庭での娯楽を兼ねた知育玩具として利用できる。また、７将棋など新しい将棋ゲームとしても使い続けることができる。
【符号の説明】
【００２９】
１      本発明の将棋の駒
２      顔部
３      胴体部
４      機能を表す漢字
５      進め方を示すマーク
６      駒の愛称
７      将棋盤の太枠線
【図１】
2019037520.tif 000003
【図２】
2019037520.tif 000004
【図３】
2019037520.tif 000005
【図４】
2019037520.tif 000006
【図５】
2019037520.tif 000007